(57)【要約】【課題】使用時には立体的な模型となり、かつ収納時には極めて小さくすることが可能な立体模型を提供することを目的としている。【解決手段】上記課題を解決するために、本発明にかかる立体模型の代表的な構成は、屋外または屋内に設置される立体物の模型であって、可撓性を有し巻回されて立体物の側面を形成するシート１１０と、巻回したシート１１０の一端を該シート１１０の他端ないし中途部に係止する係止部１１２と、巻回したシート１１０を起立させる複数の支柱１２０とを備え、シート１１０は、巻回された状態における略上端および略下端に、支柱の両端を保持する支柱接続部１１８を有することを特徴とする。【選択図】図１
2008268386.tif 000002
【特許請求の範囲】
【請求項１】
屋外または屋内に設置される立体物の模型であって、
可撓性を有し巻回されて前記立体物の側面を形成するシートと、
巻回した前記シートの一端を該シートの他端ないし中途部に係止する係止部と、
巻回した前記シートを起立させる複数の支柱とを備え、
前記シートは、巻回された状態における略上端および略下端に、前記支柱の両端を保持する支柱接続部を有することを特徴とする立体模型。
【請求項２】
前記シートは、巻回する方向に曲げ剛性の高い形状保持部を備えていることを特徴とする請求項１記載の立体模型。
【請求項３】
屋外または屋内に設置される立体物の模型であって、
可撓性を有し巻回されて前記立体物の側面を形成するシートと、
巻回した前記シートの一端を該シートの他端ないし中途部に係止する係止部と、
巻回した前記シートを起立させる複数の支柱と、
前記シートが巻回された状態における略水平方向の形状を規定する枠体とを備え、
前記支柱は前記枠体と連結可能であることを特徴とする立体模型。
【請求項４】
前記支柱は複数に分割および連結可能であることを特徴とする請求項１または請求項３のいずれか１項記載の立体模型。
【請求項５】
屋外または屋内に設置される立体物の模型であって、
可撓性を有し巻回されて前記立体物の側面を形成するシートと、
巻回した前記シートの一端を該シートの他端ないし中途部に係止する係止部とを備え、
前記シートは、巻回された状態における略上端に、吊下部を有することを特徴とする立体模型。
【請求項６】
前記係止部は、前記シートの一端を、該シートの他端または複数の中途部に係止可能であることを特徴とする請求項１、請求項３、または請求項５のいずれか１項記載の立体模型。
【発明の詳細な説明】
【技術分野】
【０００１】
本発明は、屋外または屋内に設置される立体物の模型に関するものである。
【背景技術】
【０００２】
建物の屋外または屋内に、例えば電柱や温水器のように比較的大きなものを後から設置する場合がある。特に近年、電柱は公道に建柱することが制限され、道沿いの宅地内に建柱される場合が多い。このようなとき設置先の顧客と交渉し、了承を得た上で建柱位置を決定する。しかし、事前に交渉および検討した場合でも、結果的には顧客の十分な理解が得られておらず、後に顧客が不満を抱いてしまう場合がある。これを解決するための手段の一つとして、出願人は特許文献１（特開２００７−０３３１６３）において、外径を拡縮できる円形のスケールを提案している。これにより、１つのスケールを現場に持っていくだけで、任意の径の電柱の専有面積を視覚化することができ、顧客に対して理解を得るための有効な指標とすることができる。
【０００３】
しかし、実際に設置されるものは立体物であるから、さらに高さ方向についても検討する必要がある。上記のスケールを用いた場合、正確な建柱位置については判断できるものの、設置面（地面）のスペースにばかり注意していると、平面であるが故にその上にある柱がイメージしづらい。そのため建柱位置は納得したとしても、実際に建柱された状態と建柱前に予想していた状態とでイメージが異なり、思わぬ支障が生じたり、不満を抱いてしまう場合がある。例えば、確かに設置面は空いていたとしても、駐車場に出入りする際に安全確認をしにくくなってしまったりする場合もある。
【０００４】
このように設置前に検討したい立体物は電柱に限らず、ある程度大きな立体物であれば同様の要請がある。立体物について事前に検討するための手段として、特許文献２（特開２００６−２１２３２３）には、厚紙などの薄板を面ファスナによって連結して組み立てる模型が開示されている。また特許文献２には、掛け軸のようにして吊下することが可能な備品模写シートも開示されている。特許文献２によれば、家具、電気製品等の備品ないしは調度品を購入する際に、実際に配置された状態と近い状態で検討することが可能であるとしている。
【特許文献１】特開２００７−０３３１６３号公報
【特許文献２】特開２００６−２１２３２３号公報
【発明の開示】
【発明が解決しようとする課題】
【０００５】
しかし、特許文献２に記載された構成にあっては、厚紙などの薄板で構成されている場合は立体的な模型を構成できるが、薄板では分解したとしても面積が大きくかさばってしまい、可搬性に乏しい。一方、シートを用いた場合には巻くことによって小さくなるため可搬性には優れているが、広げても平坦な模型になってしまうため、実際に配置された状態とは言いがたい。
【０００６】
そこで本発明は、使用時には立体的な模型となり、かつ収納時には極めて小さくすることが可能な立体模型を提供することを目的としている。
【課題を解決するための手段】
【０００７】
上記課題を解決するために、本発明にかかる立体模型の代表的な構成は、屋外または屋内に設置される立体物の模型であって、可撓性を有し巻回されて立体物の側面を形成するシートと、巻回したシートの一端を該シートの他端ないし中途部に係止する係止部と、巻回したシートを起立させる複数の支柱とを備え、シートは、巻回された状態における略上端および略下端に、支柱の両端を保持する支柱接続部を有することを特徴とする。
【０００８】
上記のように立体物を模倣する立体模型を用いることにより、実際に配置する前にその位置や見え方を直感的に検討することができる。したがって、電柱や設備などの設置位置について顧客が把握しやすく、十分な理解を事前に得ることができる。また模型の側面がシートによって構成されていることから、立体模型であるにもかかわらず、極めて小さく収納することができるため、可搬性に優れている。
【０００９】
シートは、巻回する方向に曲げ剛性の高い形状保持部を備えていることが好ましい。これにより、シートを巻回するだけで円筒形の立体模型を構成することができる。また形状保持部を備える代わりに、シートが全体的に曲げ剛性を有していてもよい。
【００１０】
本発明にかかる立体模型の他の代表的な構成は、屋外または屋内に設置される立体物の模型であって、可撓性を有し巻回されて立体物の側面を形成するシートと、巻回したシートの一端を該シートの他端ないし中途部に係止する係止部と、巻回したシートを起立させる複数の支柱と、シートが巻回された状態における略水平方向の形状を規定する枠体とを備え、支柱は枠体と連結可能であることを特徴とする。
【００１１】
上記構成によれば、シートを枠体に沿って巻回するため、その形状を確実に規定することができる。したがって、例えば円筒形の立体模型であれば、円形の枠体を用いることにより円筒形を正確に規定することができる。また枠体を長方形とすれば、矩形の立体模型を構成することができる。
【００１２】
支柱は複数に分割および連結可能であることが好ましい。これにより、さらに小さく収納することができ、可搬性を向上させることができる。
【００１３】
本発明にかかる立体模型の他の代表的な構成は、屋外または屋内に設置される立体物の模型であって、可撓性を有し巻回されて立体物の側面を形成するシートと、巻回したシートの一端を該シートの他端ないし中途部に係止する係止部とを備え、シートは、巻回された状態における略上端に、吊下部を有することを特徴とする。
【００１４】
すなわち、シートを支柱を用いて起立させる代わりに、上方から吊り下げることによって立体的に支持することもできる。なおシートには、巻回する方向に曲げ剛性の高い形状保持部を設けたり、略水平方向の形状を規定する枠体を備えたりすることが好ましい。これにより吊下部の支持点を削減することができる。
【００１５】
係止部は、シートの一端を、該シートの他端または複数の中途部に係止可能であることが好ましい。これにより、一つのシートによって複数のサイズの立体模型を構成することができる。さらに係止部は、任意の位置で係止可能としてもよいが、実際の立体物の寸法に合うような位置のみにおいて係止可能としてもよい。これにより容易かつ迅速に立体模型の寸法を実物に合わせることができる。
【発明の効果】
【００１６】
本発明にかかる立体模型によれば、実際に配置する前にその位置や見え方を直感的に検討することができ、電柱や設備などの設置位置について顧客が把握しやすく、十分な理解を事前に得ることができる。また顧客にとっては、事前に十分な検討をできることから、後から不満をいだくという面倒を回避したり、購入前にその配置や圧迫感を確認、検討することができる。さらに模型の側面がシートによって構成されていることから、立体模型であるにもかかわらず、極めて小さく収納することができるため、可搬性に優れているという特段の効果を有している。
【発明を実施するための最良の形態】
【００１７】
［第１実施形態］
本発明にかかる立体模型の第１実施形態について説明する。図１は立体模型の外観斜視図、図２は立体模型の展開図および平面図、図３は電柱の種類と寸法を説明する図、図４は立体模型の他の構成を示す部分展開図である。なお、以下の実施形態に示す寸法、材料、その他具体的な数値などは、発明の理解を容易とするための例示に過ぎず、特に断る場合を除き、本発明を限定するものではない。また以下の実施形態において上下方向をいうとき、模型が設置された状態における上下方向をいうものとする。
【００１８】
本実施形態は立体物として円筒形の電柱を例に用いて説明する。図１に示す立体模型１００は電柱の模型であって、円筒形をなしている。側面は可撓性を備えたシート１１０によって形成され、複数（本実施形態では３本）の支柱１２０によって起立している。立体模型１００は、起立した状態において２ｍほどの高さとなるよう設定されている。
【００１９】
図２（ａ）の展開図に示すように、シート１１０は展開可能な平面状のシートであり、巻回することによって円筒形が形成される。シート１１０の一端には係止部１１２が備えられ、他端から中途部にかけて係止部１１２を係止しうる係合部１１４が連続的に設けられている。これにより図２（ｂ）に示すように、シート１１０を巻回した状態で固定することができる。係止部１１２および係合部１１４は本実施形態において雄雌が対となる面ファスナであり、任意の中途位置で係止することができる。
【００２０】
またシート１１０の巻回された状態における上端、下端、および中央部には、巻回する方向に曲げ剛性の高い形状保持部１１６を有している。具体的には、例えばシート１１０の本体は可撓性（柔軟性）の高いビニールシート（例えば厚さ１ｍｍ以下）で形成し、形状保持部１１６は可撓性の低いシートを貼り合わせることによって形成することができる。可撓性の高い材質としては、ポリエチレン、ポリビニルアルコール、ポリオレフィンなどのプラスチック樹脂を好適に用いることができる。
【００２１】
上記のような形状保持部１１６を設けたことにより、巻回する方向には曲げ剛性が高く、高さ方向には可撓性を高くすることができる。この曲げ剛性の異方性により、模型を設置する際には形状を保持しやすく、特段の支持部材を追加しなくてもシートを巻回するだけで円形断面を備えた円筒形を保持することができる。そして収納する際には形状保持部１１６を折り畳み、高さ方向に小さく折り畳むことができる。
【００２２】
なお、本実施形態においてはシート１１０の上端、下端、中央部に形状保持部１１６を設けている。しかし本発明はこれに限定するものではなく、上端と下端のみに設けてもよいし、４箇所以上に設けてもよい。さらに、形状保持部１１６を備える代わりに、シート１１０が全体的に曲げ剛性を有していてもよい。
【００２３】
またシート１１０は、上端および下端に支柱１２０の両端を保持するための支柱接続部１１８を有し、中央部に支柱挿通部１１９を有している。支柱接続部１１８は袋状をなしており、支柱１２０の端部を収納することによって保持する。支柱挿通部１１９はループであって、支柱１２０を通すことによってシート１１０が支柱１２０から離れないように作用する。これら支柱接続部１１８、支柱挿通部１１９は形状保持部１１６の上に設けられており、支柱１２０によってシート１１０を起立させるときに破れてしまうことを防止している。このような構成とすることにより、極めて簡単に支柱１２０をシート１１０に対して着脱することができる。
【００２４】
支柱１２０は、巻回したシート１１０を起立および自立させるための棒状部材である。支柱には木材やアルムニウムパイプなどを好適に用いることができる。特にアルミニウムパイプを用いた場合には、軽くて強いだけでなく、分割および連結可能とすることができる。具体的には、図２（ａ）の破線内に示すように、支柱１２０の一端に細径部１２２を設け、他の支柱の他端に挿入可能としている。これにより、さらに小さく収納することができ、可搬性を向上させることができる。
【００２５】
さらに、細径部１２２の外周面に突起１２２ａを設け、他端の内周面に溝１２０ａを設け、挿入した際にこれら突起１２２ａと溝１２０ａとが嵌合するように構成することが好ましい。これにより模型使用時に不用意に支柱１２０が分離してしまうことを防止することができる。
【００２６】
上記構成のシート１１０および支柱を用いれば、シート１１０を巻回して係止部１１２を係合部１１４に係止し、支柱１２０を接続して支柱接続部１１８に取り付けるだけで、簡単に立体模型を組み立てることができる。また、係合部１１４が連続的に設けられていることにより、係止部１１２を任意の位置で固定することができ、一つのシートによって複数のサイズの立体模型を構成することができる。
【００２７】
これにより、実際に配置する前にその位置や見え方を直感的に検討することができる。したがって、電柱や設備などの設置位置について顧客が把握しやすく、十分な理解を事前に得ることができる。そして支柱１２０を短く分解し、シート１１０を形状保持部１１６に沿って巻くことにより、立体模型であるにもかかわらず極めて小さく収納することができ、可搬性に優れている。
【００２８】
なお、上記実施形態において係合部１１４はシートの端部から中途部まで連続的に設けられていると説明した。しかし、実際の立体物の寸法に合うように、所定の寸法に合わせて段階的（量子的）に係合部を設けることでもよい。例えば電柱は、図３に示すように多くの種類の寸法が準備されている。確かに任意の位置で係止部１１２を係合部１１４に固定できればあらゆる寸法に対応できるが、上下端で係止位置がずれることによってゆがみが生じたり、模型を組み立てる際に迷いが生じる可能性がある。
【００２９】
そこで図３に示すように地際円周を例えば100mm単位で数値を丸めると、７箇所に量子化することができる。そして図４に示すように、単位幅ごとに係合部１１４を設けることでもよい。さらに係合部１１４の近傍に、対応する電柱の寸法（規格名）を記載しておくことが好ましい。
【００３０】
このように係合部１１４を量子化することにより、ずれや迷いを生じることなく、容易かつ迅速に立体模型の寸法を実物に合わせることができる。また係止位置を量子化したことにより、面ファスナに限らず、フックやホックなどの係止部材を用いることができる。
【００３１】
［第２実施形態］
本発明にかかる立体模型の第２実施形態について説明する。図５は第２実施形態にかかる立体模型の外観斜視図および展開図、図６は第２実施形態にかかる立体模型の外観斜視図および枠体を説明する図である。上記第１実施形態と説明の重複する部分については、同一の符号を付して説明を省略する。
【００３２】
上記第1実施形態においては、円筒形の形状を形状保持部１１６のみによって保持する構成であった。これに対し第２実施形態は、枠体を用いて水平方向の形状を保持する構成である。
【００３３】
図５に示す立体模型１０２は電柱の模型である。図５（ａ）に示すように、天面および底面には枠体の例としての円板１２４が配置されている。支柱１２０はシート１１０ではなく、円板１２４に連結するよう構成されている。また図５（ｂ）に示すように、シート１１０の上端および下端に設けられた形状保持部１１６には、円板１２４と嵌合するための溝１１６ａが形成されている。これにより、シート１１０が円板１２４に対してずれてしまうことを防止している。
【００３４】
上記構成によれば、シート１１０を枠体である円板１２４に沿って巻回するため、その形状を確実に規定することができる。
【００３５】
図６に示す立体模型１０４は冷蔵庫の模型であって、矩形をなしている。図６（ａ）に示すように、天面および底面には枠体の例としての固定板１２６が配置され、支柱１２０が連結されている。図６（ｂ）に示すように、固定板１２６は２枚ずつの組となっており、その両端に面ファスナ１２６ａが設けられている。したがって２枚の固定板１２６をずらして貼り合わせることにより、天面および底面の寸法を調節することができる。
【００３６】
上記構成のように、枠体を長方形とすることにより、矩形の立体物に対しても側面をシートとする立体模型を構成することができる。
【００３７】
［第３実施形態］
本発明にかかる立体模型の第３実施形態について説明する。図７は第３実施形態にかかる立体模型の外観斜視図であって、上記第１実施形態と説明の重複する部分については、同一の符号を付して説明を省略する。
【００３８】
上記第１および第２実施形態においては、立体模型を起立および自立させるために支柱１２０を用いるよう説明した。これに対し本実施形態は、吊り下げることによって起立させる構成の例を説明する。
【００３９】
図７に示す立体模型１０６は電柱を模倣した円筒形の模型である。シート１１０の上端および下端には形状保持部１１６が設けられており、巻回するのみによって円筒形が保持される。
【００４０】
さらに上端の形状保持部１１６は吊下部を兼ねており、下げ紐１２８が接続されている。下げ紐１２８は、スタンド１３０のポール１３２の先端に吊架される。ポール１３２はシート１１０からなる円筒形の中央部を貫通して、シート１１０の上端よりも上方に突出するよう配置される。また図示しないが、ポール１３２は分割および連結可能となっており、分解して収納することが可能となっている。
【００４１】
すなわち、シート１１０を支柱１２０を用いて起立させる代わりに、上方から吊り下げることによって立体的に支持している。なおシート１１０には、形状保持部１１６の代わりに、水平方向の形状を規定する枠体を備えることによって形状を保持してもよい。枠体を用いれば剛性が向上するため、吊下部の支持点を例えば２箇所に削減することができる。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、屋外または屋内に設置される立体物の模型として利用することができる。
【図面の簡単な説明】
【００４４】
【図１】第１実施形態にかかる立体模型の外観斜視図である。
【図２】立体模型の展開図および平面図である。
【図３】電柱の種類と寸法を説明する図である。
【図４】立体模型の他の構成を示す部分展開図である。
【図５】第２実施形態にかかる立体模型の外観斜視図および展開図である。
【図６】第２実施形態にかかる立体模型の外観斜視図および枠体を説明する図である。
【図７】第３実施形態にかかる立体模型の外観斜視図である。
【符号の説明】
【００４５】
１００、１０２、１０４、１０６  …立体模型
１１０  …シート
１１２  …係止部
１１４  …係合部
１１６  …形状保持部
１１６ａ  …溝
１１８  …支柱接続部
１１９  …支柱挿通部
１２０  …支柱
１２０ａ  …溝
１２２  …細径部
１２２ａ  …突起
１２４  …円板
１２６  …固定板
１２６ａ  …面ファスナ
１２８  …下げ紐
１３０  …スタンド
１３２  …ポール
【図１】
2008268386.tif 000003
【図２】
2008268386.tif 000004
【図３】
2008268386.tif 000005
【図４】
2008268386.tif 000006
【図５】
2008268386.tif 000007
【図６】
2008268386.tif 000008
【図７】
2008268386.tif 000009